(57)【要約】      （修正有）【課題】簡便に使用可能で、抗菌及び消臭効果に優れた抗菌消臭シートを提供する。【解決手段】本発明の抗菌消臭シート１０は、抗菌消臭剤を含有する抗菌消臭剤含有層１１を備えている。前記抗菌消臭剤含有層１１の一面側に粘着層１２が形成されていることが好ましい。前記抗菌消臭シート１０には、複数の抗菌消臭シート部材１０ａに分離可能に切り込みが形成されていることが好ましい。前記抗菌消臭シート部材１０ａは、円板状であることが好ましい。前記粘着層１２側に着脱自在の剥離紙２０を更に備えていることが好ましい。被貼付物は、靴、財布、カバン、自動車の内装材、衣類、冷蔵庫、ゴミ箱、押入れ、又はロッカーであることが好ましい。【選択図】図１
0003202608.tif 000002
【実用新案登録請求の範囲】
【請求項１】
抗菌消臭剤を含有する抗菌消臭剤含有層を備えた抗菌消臭シート。
【請求項２】
前記抗菌消臭剤含有層の一面側に粘着層が形成されている請求項１に記載の抗菌消臭シート。
【請求項３】
前記抗菌消臭シートには、複数の抗菌消臭シート部材に分離可能に切り込みが形成されている請求項１又は２に記載の抗菌消臭シート。
【請求項４】
前記抗菌消臭シート部材は、円板状である請求項３に記載の抗菌消臭シート。
【請求項５】
前記粘着層側に着脱自在の剥離紙を更に備えた請求項１乃至４のうちのいずれか１項に記載の抗菌消臭シート。
【請求項６】
被貼付物が、靴、財布、カバン、自動車の内装材、衣類、冷蔵庫、ゴミ箱、押入れ、又はロッカーである請求項１乃至５のうちのいずれか１項に記載の抗菌消臭シート。
【考案の詳細な説明】
【技術分野】
【０００１】
本発明は、抗菌消臭シートに関する。更に詳しくは、簡便に使用可能で、抗菌及び消臭効果に優れた抗菌消臭シートに関する。
【背景技術】
【０００２】
従来、消臭シートとして、特許文献１に記載の消臭シートが知られている。この特許文献１の消臭シートは、セラミック炭などの炭類とトルマリンとを含有する中心層を備え、綿状素材からなるクッション層を積層して形成されている。
この特許文献１に記載の消臭シートによれば、炭類とトルマリンとの相乗効果によって消臭性能を有することができる。
【先行技術文献】
【特許文献】
【０００３】
【特許文献１】特開２０００−５２９０号公報
【考案の概要】
【考案が解決しようとする課題】
【０００４】
しかし、上記従来の消臭シートは、上記中心層を備える必要があるため、マットレス、クッションとして利用可能であるものの、身の回り品等に取着して利用するには適していない。
【０００５】
本考案はかかる従来の問題点に鑑みてなされたものであり、簡便に使用可能で、抗菌及び消臭効果に優れた抗菌消臭シートを提供することを目的とする。
【課題を解決するための手段】
【０００６】
１．抗菌消臭剤を含有する抗菌消臭剤含有層を備えた抗菌消臭シート。
２．前記抗菌消臭剤含有層の一面側に粘着層が形成されている１．に記載の抗菌消臭シート。
３．前記抗菌消臭シートには、複数の抗菌消臭シート部材に分離可能に切り込みが形成されている１．又は２．に記載の抗菌消臭シート。
４．前記抗菌消臭シート部材は、円板状である３．に記載の抗菌消臭シート。
５．前記粘着層側に着脱自在の剥離紙を更に備えた１．乃至４．のうちのいずれか１項に記載の抗菌消臭シート。
６．被貼付物が、靴、財布、カバン、自動車の内装材、衣類、冷蔵庫、ゴミ箱、押入れ、又はロッカーである１．乃至５．のうちのいずれか１項に記載の抗菌消臭シート。
【考案の効果】
【０００７】
１．本考案の抗菌消臭シートは、抗菌消臭剤を含有する抗菌消臭剤含有層を備えているため、簡便に使用可能で、抗菌及び消臭効果に優れている。
２．抗菌消臭剤含有層の一面側に粘着層が形成されている場合には、身の回り品、生活用品などに容易に取着可能となる。
３．前記抗菌消臭シートに、複数の抗菌消臭シート部材に分離可能に切り込みが形成されている場合には、一枚のシートから複数の抗菌消臭シート部材を容易に分離して使用できるため、便利である。
４．抗菌消臭シート部材が、円板状である場合には、取り扱いやすく、被貼付物に貼付した場合に剥離しにくいものとなる。
５．粘着層側に着脱自在の剥離紙を更に備えている場合には、不使用時において粘着層を保護することができ便利である。
６．被貼付物が、靴、財布、カバン、自動車の内装材、衣類、冷蔵庫、ゴミ箱、押入れ、又はロッカーである場合には、特に利用価値が高いものとなる。
【図面の簡単な説明】
【０００８】
【図１】（ａ）は、実施例の抗菌消臭シートの模式的な斜視図である。（ｂ）は、（ａ）のＡ−Ａ断面図である。
【図２】実施例の抗菌消臭シートの使用状態を示す模式的な斜視図である。
【図３】実施例の抗菌消臭シートに係り、イソ吉草酸の濃度の時間変化を示す図である。
【図４】実施例の抗菌消臭シートに係り、酢酸の濃度の時間変化を示す図である。
【図５】実施例の抗菌消臭シートに係り、アンモニアの濃度の時間変化を示す図である。
【図６】実施例の抗菌消臭シートに係り、大腸菌培養前を示す写真である。
【図７】実施例の抗菌消臭シートに係り、大腸菌培養２４時間後を示す写真である。
【考案を実施するための形態】
【０００９】
本発明の抗菌消臭シートは、抗菌消臭剤を含有する抗菌消臭剤含有層を備えている。
前記「抗菌消臭剤」は、特に限定はないが、植物由来の成分である、木・竹酢液及び／又は精油を含有することが好ましい。
【００１０】
前記「木・竹酢液」は樹木及び竹から抽出した液体である。素材としての樹木、竹の部分は特に限定はなく、樹木の幹、葉、根及び、竹の茎、葉、根を材料とすることができるが、樹木であれば、葉及び根であることが好ましい。樹木の葉及び根から抽出した木酢液であれば、タール分やベンツピレンのような環境汚染物質を殆ど含まない。
また、樹木の種類も特に限定はないが、ヒノキ、スギ、アスナロ、及びモミのうちの少なくともいずれか一種以上を含有することが好ましい。
【００１１】
木・竹酢液の製法は特に限定はないが、前記木・竹酢液は、樹木の葉又は根又は竹の茎を水蒸気で蒸留して抽出することが好ましく、特に抗菌消臭効果が高いものとなる。
【００１２】
前記「精油」は、樹木及び竹から抽出した液体である。素材としての樹木、竹の部分は特に限定はなく、樹木の幹、葉、根及び、竹の茎、葉、根を材料とすることができるが、樹木であれば、葉及び根であることが好ましい。樹木の葉及び根から抽出した木酢液であれば、タール分やベンツピレンのような環境汚染物質を殆ど含まない。
また、樹木の種類も特に限定はないが、ヒノキ、スギ、アスナロ、及びモミのうちの少なくともいずれか一種以上を含有することが好ましい。
【００１３】
精油の製法は特に限定はないが、樹木の葉又は根又は竹の茎を水蒸気で蒸留して抽出することが好ましく、特に抗菌消臭効果が高いものとなる。
【００１４】
精油、木・竹酢液はそれぞれ単独で抗菌消臭剤として用いることができるが、精油：木・竹酢液は、容量比で、１：８〜１２の割合で混合することが好ましく、１：９〜１１で混合することが更に好ましい。
【００１５】
前記「抗菌消臭剤含有層」は、抗菌消臭剤を含有している層であり、その素材は特に
限定はないが、抗菌消臭剤を含浸させやすい繊維素材であることが好ましい。特に極細合成繊維素材であることが好ましい。例えば、単繊維繊度０．１〜０．２デニールのポリエステル合成繊維からなる不織布にポリウレタン樹脂を含浸させ、表面にバッフィング処理を施して起毛させた素材であれば、好適に使用できる。この素材であれば、特に抗菌消臭剤を含浸させやすく、得られた製品の抗菌消臭効果が高いものとなり、その効果が長期間に亘って持続する。
【００１６】
本考案の抗菌消臭シートは、前記「抗菌消臭剤含有層」のみからなることができるが、抗菌消臭剤含有層の一面側に粘着層が形成されていることが好ましい。こうすることで、身の回り品、生活用品などに容易に取着可能となる。例えば、靴、財布、カバン、自動車の内装材、衣類、冷蔵庫、ゴミ箱、押入れ、又はロッカーに貼付して使用すれば便利である。
前記「粘着層」は、例えば、両面テープなどを用いることができる。
【実施例】
【００１７】
（作製）
１．抗菌消臭剤
ヒノキ、スギ、アスナロの葉及び根、並びに竹の茎を所定の配合で混合し、水蒸気で蒸留して木・竹酢液を抽出した。また、ヒノキ、スギ、アスナロの葉及び根、並びに竹の茎を所定の配合で混合し、水蒸気で蒸留して精油を抽出した。
次いで、前記木・竹酢液と精油を木・竹酢液：精油＝１０：１の割合で混合して抗菌消臭剤を得た。
【００１８】
２．抗菌消臭シート
抗菌消臭剤含有層１１の素材としての、極細合成繊維のシート（製品名：エクセーヌ（登録商標）品番：５００Ｚ（東レ株式会社製））を用意し、前記抗菌消臭剤を含浸させた。その後、加熱して、抗菌消臭シート１１を得た。
更に前記抗菌消臭シート１１の一面側に粘着層１２としての両面テープを貼付し、更に両面テープ側に剥離紙２０を貼付した。
その後、図１（ａ）に示すように、抗菌消臭シート１の表面側からトムソン加工して、６個の円板状の抗菌消臭シート部材１０ａとして分離して使用できるようにした。
使用するには、例えば図２に示すように、靴３０の中底３１に消臭抗菌シート部材１０ａ（厚さ１．７ｍｍ、直径２８ｍｍ）の粘着層側を貼付することができる。靴以外にも、財布、カバン、自動車の内装材、衣類、などに使用可能である。
【００１９】
（消臭試験）
［実施例１］イソ吉草酸ガス試験
（１）試験方法
実施例１として、６個の円形の消臭抗菌シート部材１０ａ（厚さ１．７ｍｍ、直径２８ｍｍ、以下の試験においても同じ。）を５Ｌ（リットル）の袋に入れ、更に１５ｐｐｍに調整したイソ吉草酸ガスを袋に入れた。イソ吉草酸ガスの濃度変化を検知管により測定した。
比較例１として、消臭抗菌シート部材１０ａを袋に入れないものについても同一条件で、試験を行った。
ガス検知は、株式会社ガステック製気体検知管（酢酸８１Ｌ）を用いた。
（２）試験結果
図３に示すように、実施例１では、６０分後に、イソ吉草酸ガスの濃度は１／３になり、６００分後には１／１０にまで低下した。
一方比較例１では、６０分後に、イソ吉草酸ガスの濃度は４／５程度、６００分後でも２／３程度も残量があった。
【００２０】
［実施例２］酢酸ガス試験
（１）試験方法
実施例２として、６個の円形の消臭抗菌シート部材１０ａを５Ｌの袋に入れ、更に１０ｐｐｍに調整した酢酸ガスを袋に入れた。酢酸ガスの濃度変化を検知管により測定した。
比較例１として、消臭抗菌シート部材１０ａを袋に入れないものについても同一条件で、試験を行った。
ガス検知は、株式会社ガステック製気体検知管（酢酸８１Ｌ）を用いた。
（２）試験結果
図４に示すように、実施例２では、６０分後に、酢酸ガスの濃度は１／２程度になり、６００分後には１／４にまで低下した。
一方比較例２では、６０分後に、酢酸ガスの濃度は２／３程度、６００分後でも２／５強程度残量があった。
【００２１】
［実施例３］アンモニアガス試験
（１）試験方法
実施例３として、６個の円形の消臭抗菌シート部材１０ａを５Ｌの袋に入れ、更に１０ｐｐｍに調整したアンモニアガスを袋に入れた。アンモニアガスの濃度変化を検知管により測定した。
比較例１として、消臭抗菌シート部材１０ａを袋に入れないものについても同一条件で、試験を行った。
ガス検知は、株式会社ガステック製気体検知管（アンモニア３Ｌ）を用いた。
（２）試験結果
図５に示すように、実施例３では、１０分後に、アンモニアガスの濃度は１／３になり、３０分後には１／２０にまで低下した。
一方比較例１では、６０分後であっても、アンモニアガスの濃度は９／１０程度も残量があった。
【００２２】
［実施例４］抗菌試験
（１）試験方法
実施例６として、１個の円形の消臭抗菌シート部材１０ａ（剥離紙付き）について大腸菌の抗菌試験（定性試験：ハロー法）を行った。
（ａ）試験菌液の調製
大腸菌を普通ブイヨン培地に接種し３６℃で２４時間培養し試験菌液とした。
（ｂ）混釈平板培地の調製
試験菌液１ｍＬを滅菌シャーレに入れ、普通寒天培地１５ｍＬを加え、十分混合して寒天を凝固させた。
（ｃ）試験片の設置
滅菌したピンセットを用いて試験片を置いて密着させ、３６℃で２４時間培養した。
（２）試験結果
菌濃度は、３．４×１０７（個／ｍＬ）、ハロー幅の平均値４．５ｍｍであり、抗菌効果に優れる結果が得られた。
【符号の説明】
【００２３】
１０・・・抗菌消臭シート
１０ａ・・抗菌消臭シート部材
１１・・・抗菌消臭剤含有層
１２・・・粘着層
２０・・・剥離紙
３０・・・靴
３１・・・中底
【図１】
0003202608.tif 000003
【図２】
0003202608.tif 000004
【図３】
0003202608.tif 000005
【図４】
0003202608.tif 000006
【図５】
0003202608.tif 000007
【図６】
0003202608.tif 000008
【図７】
0003202608.tif 000009